(57)【要約】【課題】開傘時及び閉傘時に適宜な長さがあり、閉開傘時に自動的に変更でき、傘の持ち心地の良さと傘全体の携帯・収納性を兼備させる。【解決手段】内筒１と外筒２とからなる入れ子管構造とされ、内筒１は、中棒１０の下端近傍に固定され、外筒２は、内筒１の一部が突出するように内筒１に摺動可能に外嵌し、第１バネ部材３を介して相互伸縮可能になっており、内筒１における外筒２から突出した部分に第１係止機構４が設けられ、第１係止機構４は、外へ突出した第１ボタン部４０と、閉傘時において下ろくろ８を係止する一方、第１ボタン部４０が押圧されると下ろくろ８に対する係止が解除される係止部４１とからなり、内筒１と外筒２との間に第２係止機構５が設けられ、第２係止機構５は、閉傘時に内外筒１，２を相互に縮んだ状態に係止し、第１係止機構４による係止が解除されると内外筒１，２に対する係止を解除する。【選択図】図１
2009028080.tif 000002
【特許請求の範囲】
【請求項１】
傘の中棒の下端に取付けられて、閉傘時において傘骨を支持するための下ろくろを下の閉傘位置に係止し、該係止が解除されると、前記下ろくろを前記中棒に沿って上の開傘位置に上昇するように移動させて前記傘骨を突っ張らせた後、中棒におけるストッパ部材によって係止する傘ハンドルにおいて、
内筒と外筒とからなる入れ子管構造とされており、
前記内筒は、前記中棒の下端近傍に固定されており、
前記外筒は、その上端開口から前記内筒の一部が突出するように前記内筒に摺動可能に外嵌するうえ、第１バネ部材を介して前記内筒と上下方向に相互伸縮可能になっており、
前記内筒における前記外筒から突出した部分には第１係止機構が設けられており、
該第１係止機構は、外へ突出した第１ボタン部と、閉傘時において前記下ろくろを係止する一方、前記第１ボタン部が押圧されると前記下ろくろに対する係止が解除される係止部とからなっており、
また、前記内筒と前記外筒との間に第２係止機構が設けられており、
該第２係止機構は、閉傘時において前記内外筒を相互に縮んだ状態に係止するうえ、前記第１係止機構による係止が解除されると、その前記内外筒に対する係止を解除するように構成され、
閉傘時において前記第１係止機構の係止が解除されると、前記外筒は、開傘と共に、前記第１バネ部材により下方へ移動され、前記内筒と相互に伸びた状態となることを特徴とする傘ハンドル。
【請求項２】
前記中棒の下端近傍には、前記第１係止機構の係止が解除されると、前記下ろくろを前記中棒に沿って上昇するように移動させる第２バネ部材が設置されていることを特徴とする請求項１に記載の傘ハンドル。
【請求項３】
前記第２バネ部材は、前記中棒の下端に装着されているスプリングと、該スプリングと前記中棒との間に設けられている中継駆動部材とからなっており、
且つ、前記中継駆動部材は、閉傘時において前記下ろくろを係止した前記第１係止機構に間接的に係止されるうえ、前記内外筒を相互に縮んだ状態に保持させるように前記第２係止機構を保持し、また、前記第１係止機構の係止が解除されると、前記スプリングにより上向きに移動し、前記下ろくろを前記中棒に沿って上昇するように移動させると共に、前記第２係止機構を解除し、前記内外筒を前記第１バネ部材により相互に伸びた状態にさせるように構成されていることを特徴とする請求項２に記載の傘ハンドル。
【請求項４】
前記内筒における第１ボタン部の下方に、外からの押圧により前記中棒におけるストッパ部材の前記下ろくろに対する係止を解除する第２ボタン部が設けられていることを特徴とする請求項３に記載の傘ハンドル。
【請求項５】
閉傘時において前記第１ボタン部だけが前記外筒から突出し、開傘時において前記第２ボタン部も前記外筒から突出するように構成されていることを特徴とする請求項４に記載の傘ハンドル。
【発明の詳細な説明】
【技術分野】
【０００１】
本発明は、傘に適用される傘ハンドルに関し、特に傘の持ち心地の良さと傘全体の携帯・収納性を兼備させる傘ハンドルに関する。
【背景技術】
【０００２】
従来市販されている色々な傘における傘ハンドルは、通常、傘の中棒の下端に取付けられ、閉傘時において傘骨を支持するための下ろくろを下の閉傘位置に係止し、該係止が解除されると、前記下ろくろを前記中棒に沿って上の開傘位置に上昇するように移動させ、前記傘骨を突っ張らせた後、中棒におけるストッパ部材によって係止するように構成されている。（例えば、特許文献１参照）
【０００３】
ところが、従来の傘ハンドルは、そのサイズを小さめにすると、開傘時において握り心地が悪くなってしっかりと傘を差すことができなくなる一方、逆に大きめにすると、閉傘時の傘全体の携帯・収納性を損なうという欠点がある。
【特許文献１】台湾実用新案第５１８９４３号
【発明の開示】
【発明が解決しようとする課題】
【０００４】
本発明は、従来の問題に鑑みてなされたものであり、開傘時及び閉傘時それぞれにおいて適宜な長さがあり、閉開傘時に自動的に変更でき、傘の持ち心地の良さと傘全体の携帯・収納性を兼備させる傘ハンドルを提供することを目的とする。
【課題を解決するための手段】
【０００５】
前記目的を達成するために、本発明は、傘の中棒の下端に取付けられて、閉傘時において傘骨を支持するための下ろくろを下の閉傘位置に係止し、該係止が解除されると、前記下ろくろを前記中棒に沿って上の開傘位置に上昇するように移動させて前記傘骨を突っ張らせた後、中棒におけるストッパ部材によって係止する傘ハンドルにおいて、内筒と外筒とからなる入れ子管構造とされており、前記内筒は、前記中棒の下端近傍に固定されており、前記外筒は、その上端開口から前記内筒の一部が突出するように前記内筒に摺動可能に外嵌するうえ、第１バネ部材を介して前記内筒と上下方向に相互伸縮可能になっており、前記内筒における前記外筒から突出した部分には第１係止機構が設けられており、該第１係止機構は、外へ突出した第１ボタン部と、閉傘時において前記下ろくろを係止する一方、前記第１ボタン部が押圧されると前記下ろくろに対する係止が解除される係止部とからなっており、また、前記内筒と前記外筒との間に第２係止機構が設けられており、該第２係止機構は、閉傘時において前記内外筒を相互に縮んだ状態に係止するうえ、前記第１係止機構による係止が解除されると、その前記内外筒に対する係止を解除するように構成され、閉傘時において前記第１係止機構の係止が解除されると、前記外筒は、開傘と共に、前記第１バネ部材により下方へ移動され、前記内筒と相互に伸びた状態となることを特徴とする傘ハンドルを提供する。
【０００６】
前記傘ハンドルの実施形態として、前記中棒の下端近傍には、前記第１係止機構の係止が解除されると、前記下ろくろを前記中棒に沿って上昇するように移動させる第２バネ部材が設置されている、自動開傘用のものが挙げられる。
【０００７】
また、前記第２バネ部材の具体構成として、前記第２バネ部材は、前記中棒の下端に装着されているスプリングと、該スプリングと前記中棒との間に設けられている中継駆動部材とからなっており、且つ、前記中継駆動部材は、閉傘時において前記下ろくろを係止した前記第１係止機構に間接的に係止されるうえ、前記内外筒を相互に縮んだ状態に保持させるように前記第２係止機構を保持し、また、前記第１係止機構の係止が解除されると、前記スプリングにより上向きに移動し、前記下ろくろを前記中棒に沿って上昇するように移動させると共に、前記第２係止機構を解除し、前記内外筒を前記第１バネ部材により相互に伸びた状態にさせるように構成されているものが挙げられる。
【０００８】
さらに、前記内筒における第１ボタン部の下方に、外からの押圧により前記中棒におけるストッパ部材の前記下ろくろに対する係止を解除する第２ボタン部が設けられていることが好ましい。
【０００９】
なお、閉傘時において前記第１ボタン部だけが前記外筒から突出し、開傘時において前記第２ボタン部も前記外筒から突出するように構成されていることがより好ましい。
【発明の効果】
【００１０】
前記構成による傘ハンドルは、内筒と外筒とからなる入れ子管構造とされており、且つ上下方向に相互伸縮可能になっている。そのため、閉傘時に傘を携帯または収納する場合、内筒と外筒を相互に縮んだ状態にさせてコンパクト化した傘ハンドルを携帯または収納することができる。一方、開傘時に傘を差す場合、内筒と外筒を相互に伸びた状態にさせて長くなった傘ハンドルをしっかりと把持することができる。
【発明を実施するための最良の形態】
【００１１】
以下に添付図面を参照しながら、本発明の好適な実施形態の一例の傘ハンドルについて詳細に説明する。
【００１２】
図１は、傘ハンドルの分解斜視図である。図２から図４は、傘ハンドルが傘に取付けてられていて下ろくろが下の閉傘位置にある状態を示す図であり、図５から図７は、傘ハンドルが傘に取付けてられていて下ろくろが上の開傘位置にある状態を示す図である。
【００１３】
図１と図２に示すように、この傘ハンドルは、従来の傘ハンドルと同様に、傘の中棒９の下端に取付けられて、閉傘時において傘骨（図示せず）を支持するための下ろくろ８を下の閉傘位置（図２参照）に係止し、該係止が解除されると、下ろくろ８を中棒９に沿って上の開傘位置（図５参照）に上昇するように移動させて前記傘骨を突っ張らせた後、中棒９におけるストッパ部材９０によって係止するものである。
【００１４】
前記傘ハンドルは、主として、中空形の内筒１と外筒２とからなる入れ子管構造とされている。
【００１５】
内筒１は、両端がともに開口されると共に、周面に開孔１０が設けてある円筒形のものであって、中棒９の下端近くに固設されている。
【００１６】
外筒２は、外径がやや小さくなった上端だけが開口している円筒台形のものであって、その上端開口から内筒１が一部突出するように、該内筒１に摺動可能に外嵌されるうえ、中棒９の下端との間に配設した第１バネ部材３を介して内筒１と上下方向に相互伸縮可能になっている。
【００１７】
また、内筒１における外筒２から突出した部分には第１係止機構４が内蔵されている。この第１係止機構４は、プラスチック製のものであって、開孔１０から外へ突出している上の第１ボタン部４０及び下の第２ボタン部４２と、上の第１ボタン部４０から内方へ内筒１の内壁に沿って環状に形成されている第１係止部４１と、第２ボタン部４２から内方へ内筒１の内壁に沿って環状に形成されている第２係止部４３とからなっている。
【００１８】
第１ボタン部４０と第２ボタン部４２とは、一体になっているが、その間の連続部分が柔軟性を有し、弾性変形可能な構造になっている。即ち、第１ボタン部４０への外からの押圧は第１係止部４１を押圧の方向に移動させるが、第２ボタン部４２に影響を与えず、第２ボタン部４２への外からの押圧は第２係止部４３を押圧の方向に移動させるが、第１ボタン部４０に影響を与えない。
【００１９】
更に、第１ボタン部４０と第１係止部４１とは、第１ボタン部４０の反対側にあるバネ４１０を介して前記第１ボタン部４０への押圧方向に対して反対方向に付勢されるようになっている。それにより、第１係止部４１は、閉傘時においてバネ４１０の付勢力によって下ろくろ８の係止孔８０に係止するが、第１ボタン部４０に押圧する力が負荷されると、押圧の方向に移動し、下ろくろ８に対する係止位置から離脱することができる。
【００２０】
また、第２ボタン部４２と第２係止部４３とは、第２ボタン部４２の反対側にあるバネ４３０を介して前記第２ボタン部４２への押圧方向に対して反対方向に付勢されるようになっている。
【００２１】
中棒９には、外へ突出して下ろくろ８を下から開傘位置に係止するストッパ部材９０が内蔵されている。このストッパ部材９０は、引張りロープ９１を介して中棒９内の下側に摺動可能に設けられているラム９２に連結されている。そして、このラム９２が下向きに移動して引張りロープ９１を引っ張ると、元の突出位置から縮まって下ろくろ８の係止を解除することができるように構成されている。また、ラム９２と第２ボタン部４２とは、ラム９２に設けた傾斜面接触部９３により、第２ボタン部４２に押圧する力が加わるとラム９２が押されて下向きに移動するように構成されている。
【００２２】
それにより、第２ボタン部４２及び第２係止部４３は、開傘時において、バネ４３０の付勢力によって、ストッパ部材９０が中棒９から突出して下ろくろ８を下から開傘位置に係止する位置にある。この状態で、第２ボタン部４２に押圧が加わると、第２ボタン部４２及び第２係止部４３が押圧の方向に移動し、前記第２ボタン部４２とラム９２の傾斜面接触部９３により、ラム９２を下向きに移動させ、引張りロープ９１を下向きに引いてストッパ部材９０を中棒９内に縮（移動）ませて、前記下ろくろ８に対する係止を解除することができる。
【００２３】
なお、この実施形態においては、閉傘時には第１ボタン部４０だけが外筒２から突出し（図４参照）、開傘時には第１ボタン部４０の他に第２ボタン部４２も外筒２から突出する（図７参照）ように構成されている。
【００２４】
また、図１と図３に示すように、内筒１と外筒２との間には第２係止機構５が設けられており、中棒９の下端近傍には第２バネ部材６が設置されている。
【００２５】
第２係止機構５は、図３に示すように閉傘時において内外筒１，２を相互に縮んだ状態に係止するうえ、図６に示すように第１係止機構４の係止が解除されると、その内外筒１，２に対する係止も該第１係止機構４と共に解除されるように構成されている。この第２係止機構５は、外筒２の内周壁に設けられている一対の溝２１，２１と、内筒１にそれぞれ弾性部材５０によって内筒１の周壁から出没可能に設けられていて一対の溝２１，２１の１つに係止することができる一対の係止部材５１，５１とからなっている。
【００２６】
第２バネ部材６は、第１係止機構４の係止が解除されると、下ろくろ８を中棒９に沿って上方へ上昇するように移動（撥ね上げ）させることができるように構成されている。この第２バネ部材６は、中棒９の下端に装着されているスプリング６０と、該スプリング６０と中棒９との間に設けられている中継駆動部材６１とからなっている。
【００２７】
中継駆動部材６１は、図２と図３に示すように、閉傘時において下ろくろ８を係止した第１係止機構４に間接的に係止される押圧係止片６２を備えている。そして、この押圧係止片６２には、内外筒１，２を相互に縮んだ状態を保持させるように、弾性部材５０，５０の弾性力に抗して一対の係止部材５１，５１を一対の溝２１，２１に押して係止させる押圧部６３が設けられている。また、図５と図６に示すように、第１係止機構４の係止が解除されると、スプリング６０により上向きに移動し、下ろくろ８を中棒９に沿って上昇するように移動させる（撥ねる）と共に、一対の係止部材５１，５１を弾性部材５０，５０の付勢力によって一対の溝２１，２１から後退するように係止部材５１，５１に対する係止を解除し、内外筒１，２を第１バネ部材３により相互に伸びた状態にさせるように構成されている。なお、図１中符号６４は、スプリング６０及び中継駆動部材６１を内筒１内に配設した状態に保持する保持部材である。
【００２８】
それにより、本発明の傘ハンドルを使用している傘は、閉傘時において第１ボタン部４０が押されると、下ろくろ８が自動に中棒９に沿って上の開傘位置（図５参照）に上昇し、傘骨を突っ張らせることができる。また、開傘時において、第２ボタン部４２が押されると、ストッパ部材９０を中棒９内に縮ませて前記下ろくろ８を容易に下の閉傘位置に移動させることができる。特に、そのハンドル自体は、伸縮可能な構造になっていて、閉傘状態から開傘状態にされると、持ち易い伸びた状態になり、開傘状態から閉傘状態にされると、携帯・収納されやすい縮んだ状態とすることができる。
【００２９】
以上、本発明の好適な実施形態について説明したが、本発明は前記実施形態に限定して狭義に解釈されるものではなく、本発明の思想の範囲内において種々の変形や変更が可能である。
【産業上の利用可能性】
【００３０】
叙上のように、本発明の傘ハンドルは、傘を持ち心地の良さと傘全体の携帯・収納性を兼備させることができる。
【図面の簡単な説明】
【００３１】
【図１】本発明の一実施形態に係る傘ハンドルの分解斜視図である。
【図２】傘ハンドルが傘に取付けてられていて下ろくろが下の閉傘位置にある状態を示す断面図である。
【図３】図２におけるIII−III線断面図である。
【図４】図２における傘ハンドルと下ろくろだけの斜視図である。
【図５】傘ハンドルが傘に取付けてられていて下ろくろが上の開傘位置にある状態を示す断面図である。
【図６】図５におけるVI−VI線断面図である。
【図７】図５における傘ハンドルだけの斜視図である。
【符号の説明】
【００３２】
１      内筒
１０    開孔
２      外筒
２１    溝
３      第１バネ部材
４      第１係止機構
４０    第１ボタン部
４１    第１係止部
４１０  バネ
４２    第２ボタン部
４３    第２係止部
４３０  バネ
５      第２係止機構
５０    弾性部材
５１    係止部材
６      第２バネ部材
６０    スプリング
６１    中継駆動部材
８      下ろくろ
９      中棒
９０    ストッパ部材
９１    引張りロープ
９２    ラム
９３    傾斜面接触部
【図１】
2009028080.tif 000003
【図２】
2009028080.tif 000004
【図３】
2009028080.tif 000005
【図４】
2009028080.tif 000006
【図５】
2009028080.tif 000007
【図６】
2009028080.tif 000008
【図７】
2009028080.tif 000009